(57)【要約】【課題】壁板と壁下地との間のスペースを利用して、壁としての機能以外の機能を備えた壁構造を提供することを目的とする。【解決手段】壁構造１は、壁下地２と、壁板４と、装置とを備えている。壁板４は、壁下地２に取り付けられている。装置は、壁板４と壁下地２との間に設けられている。壁板４の下方に、壁板４の下端と、壁板４の下方に位置する上向面との間に形成された隙間であって、壁板４と壁下地２との間に通じる空間がある。【選択図】図１
2020084666.tif 000002
【特許請求の範囲】
【請求項１】
壁下地と、
前記壁下地に取り付けられた壁板と、
前記壁板と前記壁下地との間に設けられた装置とを含み、
前記壁板の下方に、前記壁板の下端と、前記壁板の下方に位置する上向面との間に形成された隙間であって、前記壁板と前記壁下地との間に通じる空間がある、
壁構造。
【請求項２】
請求項１に記載の壁構造において、
前記壁板は、前記壁下地に鎧張りされた複数の壁板のうちの一つである、
壁構造。
【請求項３】
請求項２に記載の壁構造において、
前記複数の壁板は、千鳥張りされた、
壁構造。
【請求項４】
請求項１〜３のいずれか１項に記載の壁構造において、
前記装置は照明装置である、
壁構造。
【請求項５】
請求項１〜４のいずれか１項に記載の壁構造において、
前記装置は、全体が前記壁板の下端以上の高さに位置している、
壁構造。
【発明の詳細な説明】
【技術分野】
【０００１】
本発明は、壁構造に関する。
【背景技術】
【０００２】
特許文献１には、複数の外壁板が壁下地に鎧張りされた外壁構造が開示されている。この外壁構造では、上下に並んだ２枚の外壁板のうちの上段の外壁板の一部が、下段の外壁板の表側に重なっている。
【先行技術文献】
【特許文献】
【０００３】
【特許文献１】特開２０１８−８０４８８号公報
【発明の概要】
【発明が解決しようとする課題】
【０００４】
ところで、特許文献１に示すような外壁構造では、壁としての機能以外の別の機能を備えていない。
【０００５】
本発明は上記事由に鑑みてなされており、壁板と壁下地との間のスペースを利用して、壁としての機能以外の機能を付加した壁構造を提供することを目的とする。
【課題を解決するための手段】
【０００６】
本発明の一態様に係る壁構造は、壁下地、壁板及び装置を備えている。前記壁板は、前記壁下地に取り付けられている。前記装置は、前記壁板と前記壁下地との間に設けられている。前記壁板の下方に、前記壁板の下端と、前記壁板の下方に位置する上向面との間に形成された隙間であって、前記壁板と前記壁下地との間に通じる空間がある。
【発明の効果】
【０００７】
前記一態様に係る壁構造では、壁板と壁下地との間のスペースを利用して、壁としての機能以外の機能を付加することができる。
【図面の簡単な説明】
【０００８】
【図１】図１は、本発明の一実施形態に係る壁構造の縦断面図である。
【図２】図２は、同上の壁構造の一部切欠正面図である。
【図３】図３は、同上の壁構造の一部切欠斜視図である。
【発明を実施するための形態】
【０００９】
（実施形態）
図１〜図３に本実施形態の壁構造１を示す。本実施形態の壁構造１は、建物の内壁を構成している。本実施形態の壁構造１は、壁下地２、装置及び複数の壁板４を含んでいる。装置は、壁構造１に壁としての機能以外の機能を備えた装置であり、本実施形態の装置は、照明装置３である。なお、以下では、上下方向と直交する一方向であって壁下地２から複数の壁板４側に向かう方向を前方として、壁構造１について説明する。
【００１０】
図１に示すように、本実施形態の壁下地２は、裏側下地材２１と、表側下地材２２とを備えている。本実施形態の裏側下地材２１は、複数の柱２３で構成されている。複数の柱２３は、左右方向に間隔をあけて並んでいる。
【００１１】
本実施形態の壁構造１は、床下地５と、床材６とを更に含んでいる。床下地５は、根太、床梁、合板等によって構成される。床下地５は、複数の柱２３の前方に位置している。床材６は、床下地５上に敷設されている。床材６は、例えば、複数の床板によって構成される。以下、床材６の上面を床面６０という。
【００１２】
床面６０は、水平な面であり、その面の向きは鉛直面と平行な上向きである。すなわち、本実施形態の床面６０は、面の向きが上向きとなった上向面を構成している。
【００１３】
本実施形態の壁構造１は、板材１０を更に含んでいる。板材１０は、長手方向が左右方向と平行で、厚み方向が前後方向と平行な矩形板状に形成されている。本実施形態の板材１０は、木質ボードであり、詳しくは合板である。板材１０は、複数の柱２３の前面に沿っている。板材１０は、床材６の上方に位置しており、板材１０の下端は、床面６０に接している。板材１０は、釘等の固着具（図示せず）を用いて、複数の柱２３に取り付けられている。
【００１４】
本実施形態の照明装置３は、帯状の光を発するライン照明装置であり、複数の壁板４の表側に存在する屋内空間の間接照明に用いられる。照明装置３は、その長手方向を左右方向と平行にした状態で、板材１０の前面に沿っており、床面６０の上方に位置している。照明装置３は、ねじ等の固着具（図示せず）を用いて板材１０に取り付けられている。これにより、照明装置３は、板材１０及び複数の柱２３に対して固定されている。
【００１５】
本実施形態の壁構造１は、電源装置１１と、電線１２とを更に含んでいる。電源装置１１は、柱２３の後面に取り付けられている。電線１２は、隣り合う柱２３の間を通っている。電線１２は、照明装置３と電源装置１１とを電気的に接続している。電源装置１１は、電線１２を通して照明装置３に電力を供給する。
【００１６】
照明装置３は、光源として、左右に並んだ複数の発光ダイオード（図示せず）を備えている。照明装置３は、複数の発光ダイオードの全体で、左右方向に延びた帯状の光を前方に発する。
【００１７】
本実施形態の壁下地２は、透湿防水シート２４を更に備えている。透湿防水シート２４は、複数の柱２３の前面に沿っている。透湿防水シート２４は、タッカー、接着剤等を用いて、複数の柱２３に取り付けられている。
【００１８】
複数の柱２３の前方には、透湿防水シート２４を介して表側下地材２２が位置している。本実施形態の表側下地材２２は、複数の縦胴縁２５と、面材２６とを有している。複数の縦胴縁２５は、左右方向に間隔をあけて並んでいる。複数の縦胴縁２５は、それぞれ、透湿防水シート２４を介して複数の柱２３の前面に沿っている。複数の縦胴縁２５は、板材１０及び照明装置３よりも上方に位置している。照明装置３は、床材６と、床材６の上方に位置する複数の縦胴縁２５との間に位置している。複数の縦胴縁２５は、釘等の固着具（図示せず）を用いて、複数の柱２３に取り付けられている。
【００１９】
複数の縦胴縁２５の前面には、面材２６が沿っている。面材２６は照明装置３よりも上方に位置している。面材２６は厚み方向が前後方向と平行な板状に形成されている。本実施形態の面材２６は、木質ボードであり、詳しくは合板である。面材２６は、釘等の固着具（図示せず）を用いて、複数の縦胴縁２５に取り付けられている。本実施形態の面材２６の下端は、複数の縦胴縁２５の下端と同じ高さに位置している。
【００２０】
本実施形態の壁下地２は、防水紙２７を更に備えている。防水紙２７は、面材２６の前面に沿っている。防水紙２７は、タッカー、接着剤等を用いて、面材２６に取り付けられている。
【００２１】
本実施形態の壁構造１は、複数のスターター１３を更に含んでいる。複数の壁板４のうち最も下方に位置する最下段の各壁板４を最下段壁板４０としたとき、複数のスターター１３は、複数の最下段壁板４０を鉛直面に対して傾けて設置するために用いられる。
【００２２】
複数のスターター１３は、左右方向に並んでおり、防水紙２７を介して面材２６の前面に沿っている。各スターター１３は、厚み方向が前後方向と平行な板状に形成されている。本実施形態の各スターター１３は、壁板４と同じ材料から形成されている。
【００２３】
各スターター１３は、釘、ねじ等の固着具１４を用いて、面材２６に取り付けられている。各スターター１３は、床面６０から上方に離れて位置している。各スターター１３の下端部は、面材２６よりも下方に突出し、照明装置３の前方に位置している。
【００２４】
複数の壁板４は、複数のスターター１３及び防水紙２７を介して面材２６の前面に沿っている。本実施形態の各壁板４は、セメントを主成分とする成形材料の硬化物である窯業系サイディングである。
【００２５】
図２及び図３に示すように、複数の壁板４の各々は、同じ形状を有しており、かつ、同じ大きさである。本実施形態の各壁板４は、長手方向が左右方向と平行な略矩形の板状に形成されている。具体的に各壁板４は、矩形の上側二つの角を切ったような六角形状に形成されている。また、各壁板４の上下寸法は、スターター１３の上下寸法よりも長い。
【００２６】
図３に示すように、各壁板４は、複数の孔４１を有している。複数の孔４１は、壁板４の上部に形成されており、左右方向に間隔をあけて並んでいる。各孔４１は、壁板４の厚み方向に貫通している。
【００２７】
図１に示すように、各壁板４は、各孔４１を通って防水紙２７及び面材２６に打ち込まれた釘、ねじ等の固着具１５によって、面材２６に取り付けられている。すなわち、各壁板４は、各孔４１を貫通し、防水紙２７を貫通して面材２６に固着された固着具１５によって、面材２６に取り付けられている。
【００２８】
本実施形態の複数の壁板４は、壁下地２に対して鎧張りされている。すなわち、上下に並べて配置された２枚の壁板４のうち、上側に位置する壁板４を上段壁板４とし、かつ、下側に位置する壁板４を下段壁板４としたとき、複数の壁板４は、上段壁板４の一部が下段壁板４の表側に重なった状態で壁下地２に取り付けられている。
【００２９】
また、本実施形態の複数の壁板４は、図２及び図３に示すように壁下地２に千鳥張りされており、上段壁板４と下段壁板４とが左右方向においてずれている。このため、左右に隣り合う壁板４の突付け部分は、一段上方に位置する壁板４同士の突付け部分と、左右方向においてずれている。具体的に本実施形態の複数の壁板４は、上下に並ぶ壁板４が壁板４の左右方向の長さの１／２の寸法だけずれている。
【００３０】
図１に示すように、各最下段壁板４０は、上下方向の中間部がスターター１３の前面に沿い、かつ、上端部が防水紙２７を介して面材２６の前面に沿った状態で、壁下地２に取り付けられている。このため、各最下段壁板４０は、下端に近い部分ほど前方に位置するように、鉛直面に対して傾斜している。また、最下段壁板４０以外の壁板４は、上下方向の中間部が一段下方に位置する壁板４の前面に沿い、かつ、上端部が防水紙２７を介して面材２６の前面に沿った状態で、壁下地２に取り付けられている。このため、最下段壁板４０以外の壁板４も、下端に近い部分ほど前方に位置するように、鉛直面に対して傾斜している。
【００３１】
左右に並んだ複数の最下段壁板４０の下部は、複数のスターター１３の前方に位置しており、複数のスターター１３を前方から覆っている。各最下段壁板４０の下端は、各スターター１３の下端と同じ高さに位置している。各最下段壁板４０の下端部は、面材２６よりも下方に突出している。すなわち、各最下段壁板４０は、その下端部で構成され、かつ、面材２６よりも下方に突出した突出部４２を有している。
【００３２】
各最下段壁板４０の突出部４２は、照明装置３の前方に位置している。照明装置３は、複数の最下段壁板４０と複数の柱２３との間に位置しており、複数の最下段壁板４０、面材２６、複数の縦胴縁２５及び複数の柱２３で囲まれている。
【００３３】
複数の最下段壁板４０の下方には、空間１６がある。本実施形態の空間１６は、複数の最下段壁板４０の下端と床面６０との間に形成された隙間である。照明装置３が配置された、複数の最下段壁板４０と複数の柱２３との間の領域１７は、空間１６に通じており、領域１７は、空間１６を介して屋内空間に通じている。
【００３４】
照明装置３の全体は、各最下段壁板４０の下端以上の高さに位置しており、屋内空間に居る人から照明装置３に向かう視線は、複数の最下段壁板４０で遮られやすく、照明装置３は、屋内空間に居る人からは見え難い。このため、壁構造１の意匠性を向上することができる。本実施形態では、照明装置３の下端が、各最下段壁板４０の下端と同じ高さに位置している。
【００３５】
本実施形態の照明装置３は、照明装置３から出た光の一部が、複数のスターター１３に当たって遮られることにより、床面６０を照らす間接照明として利用される。本実施形態では、照明装置３から出た光の一部は、直接床面６０に至り、また、別の一部は、スターター１３及び板材１０で反射した後に床面６０に至る。加えて、本実施形態では、照明装置３から出た光の一部が、空間１６を通って屋内空間に出る。これにより、照明装置３から出た光によって、床面６０における空間１６の下方領域及びこの領域よりも前方に位置する領域を含む部分が照らされて、間接照明が実現される。
【００３６】
また、前述したように、本実施形態の複数の壁板４は、鎧張りされている。このため、例えば、照明装置３から出た光のうち、床面６０で反射して複数の最下段壁板４０と複数のスターター１３との間に至った光の一部は、左右に隣り合う最下段壁板４０の突付け部分から前方にわずかに漏れ出す。このため、印象的な間接照明を行うことができる。
【００３７】
また、前述したように本実施形態の複数の壁板４は、千鳥張りされており、左右に隣り合う最下段壁板４０の上部同士の突付け部分は、一段上方に位置する壁板４によって覆われる。このため、照明装置３から出た光は、最下段壁板４０の上部同士の突付け部分からは漏れ出し難い。
【００３８】
（変形例）
上記実施形態の壁構造１は、適宜設計変更可能である。例えば、裏側下地材２１又は表側下地材２２は、構造用面材等であってもよい。
【００３９】
また、本実施形態の壁板４は、建物の内壁面を構成するが、建物の外壁面を構成する壁板であってもよい。すなわち、本発明は、建物の外壁を構成する壁構造にも適用可能である。
【００４０】
また、複数の壁板４は、千鳥張り以外の張り方で壁下地２に取り付けられてもよく、例えば、上段壁板４と下段壁板４との左右方向における位置をそろえた状態で壁下地に取り付けられてもよい。また、複数の壁板４は、鎧張り以外の張り方で壁下地２に取り付けてもよく、例えば、上段壁板４の下端面と下段壁板４の上端面とを突き合わせた状態で壁下地に取り付けられてもよい。
【００４１】
また、壁板４の孔４１は、壁板４の製造時において形成された孔であってもよいし、壁板４の施工時において壁板４に固着具１５を通すことによって形成された孔であってもよい。また、壁板４の材料は、セメントを主成分とする成形材料以外の材料であってもよい。
【００４２】
また、スターター１３は、下端が最下段壁板４０の下端以上の高さに位置するように配置されてもよい。また、スターター１３は、壁板４とは異なる材料から形成されてもよい。
【００４３】
また、床面６０は、鉛直面に対して傾斜していてもよい。すなわち、床面６０の向きは、少なくとも上方向成分を含んでいればよい。また、最下段壁板４０の下方には、地面、舗装面等、床面６０以外の上向面が位置してもよい。
【００４４】
また、照明装置３は、最下段壁板４０以外の壁板４の後方に設置されてもよい。この場合、例えば、照明装置３から出た光を左右方向に並んだ壁板４の突付け部分から前方に出すことで、屋内空間の照明が行われる。
【００４５】
また、照明装置３は、板材１０とは別の部材を介して複数の柱２３に取り付けられてもよいし、直接複数の柱２３に取り付けられてもよい。また、板材１０を省略してもよい。この場合、照明装置３は、例えば複数の柱２３に直接取り付けられる。
【００４６】
また、照明装置３は、少なくとも一部が最下段壁板４０の下端以上の高さに位置していればよく、照明装置３の下端は、最下段壁板４０の下端よりも上方に位置してもよいし、最下段壁板４０の下端よりも下方に位置してもよい。
【００４７】
また、照明装置３は、複数の壁板４のうちの一枚の壁板４のみに対応する箇所に設けられてもよい。すなわち、照明装置３は、複数の壁板４のうちの少なくとも一つ以上の壁板４に対応する箇所に設けられていればよい。また、照明装置３が備える光源は、発光ダイオードに限られず、例えば、電球、蛍光灯等であってもよい。また、照明装置３は、ライン照明装置以外の照明装置であってもよい。
【００４８】
また、壁構造１に含まれる装置は、照明装置３に限られず、例えば、冷房機器、暖房機器、送風機、加湿器、除湿器、エアコンディショナー、音響装置等の他の電気機器であってもよい。この場合、装置は、屋内空間の空気調節等を空間１６を介して行うことができる。また、壁構造１に含まれる装置は、電気機器に限られず、電気以外の他のエネルギーを利用して駆動する装置であってもよい。
【００４９】
（態様）
以上説明した、実施形態及び変形例から明らかなように、第１の態様の壁構造１は、以下の構成を有する。壁構造１は、壁下地２と、壁板４と、装置とを備えている。壁板４は、壁下地２に取り付けられている。装置は、壁板４と壁下地２との間に設けられている。壁板４の下方に、壁板４と壁下地２との間に通じる空間１６がある。空間１６は、壁板４の下端と、壁板４の下方に位置する上向面との間に形成された隙間である。この態様によれば、壁板４と壁下地２との間のスペースを利用して、装置を設置することができる。また、これにより、壁構造１に機能を付加することができる。また、装置から発した光を壁板４の下方の空間１６を通して壁板４の表面側に出す等、壁板４の下端と、壁板４の下方に位置する上向面との間に形成された隙間である空間１６を装置の利用に用いることができる。
【００５０】
また、第２の態様の壁構造１は、第１のいずれか一つの態様との組み合わせにより実現され得る。第２の態様では、壁板４は、壁下地２に鎧張りされた複数の壁板４のうちの一つである。この態様によれば、鎧張りされた複数の壁板４の裏側のスペースを利用して、装置を設置することができる。また、横方向に隣り合う壁板４同士の突付け部分の隙間を装置の利用に用いることができる。
【００５１】
また、第３の態様の壁構造１は、第２の態様との組み合わせにより実現され得る。第５の態様では、複数の壁板４は、千鳥張りされている。この態様によれば、千鳥張りされた複数の壁板４の裏側のスペースを利用して、装置を設置することができる。また、千鳥張りされた複数の壁板４においては、横方向に隣り合う壁板４の上部同士の突付け部分が、一段上方の壁板４によって覆われる。このため、横方向に隣り合う壁板４の突付け部分における下部の隙間のみを用いて、装置を利用することができる。
【００５２】
また、第４の態様の壁構造１は、第１〜第３のいずれか一つの態様との組み合わせにより実現され得る。第４の態様では、装置は照明装置３である。この態様によれば、壁構造１に照明の機能を付加することができる。
【００５３】
また、第５の態様の壁構造１は、第１〜第４のいずれか一つの態様との組み合わせにより実現され得る。第５の態様では、装置は、全体が壁板４の下端以上の高さに位置している。この態様によれば、壁板４の表側に居る人から装置を見え難くして、壁構造１の意匠性を向上できる。
【符号の説明】
【００５４】
１  壁構造
１６  空間
２  壁下地
３  照明装置（装置）
４  壁板
６０  床面（上向面）
【図１】
2020084666.tif 000003
【図２】
2020084666.tif 000004
【図３】
2020084666.tif 000005